(57)【要約】  【課題】くびれ部の径が付勢部の径より小さく、付勢部が支持体に対してうねったり捻じ曲がったりせず、商品を円滑に付勢して押し出していく。  【解決手段】固定部１１が支持棒３の周囲に巻き付くように固定される。くびれ部１２、１４、１６の径が付勢部１３、１５、１７の径より小さく、付勢部１３、１５、１７が支持体に対してうねったり捻じ曲がろうとしたりするのをくびれ部１２、１４、１６が防止し、付勢部１３、１５、１７に付勢された当接部１８が商品４を円滑に付勢して押し出していく。  【選択図】図１
2006296932.tif 000002
【特許請求の範囲】
【請求項１】
商品を並べて陳列させる支持体に巻回され、当該商品を一方向に付勢して商品を隙間なく配列させる商品陳列用の付勢体において、
当該付勢体は、
弾性的に径が収縮して上記支持体に固定されるとともに、当該付勢体を支持体に対して移動させると、当該固定にもかかわらず、上記支持体に沿って移動可能な固定部と、
上記支持体の周囲に沿って巻回されるとともに当該支持体に対して離間して巻回され、上記商品を一方向に付勢する長尺な付勢部と、
この長尺な付勢部の途中に形成され、当該付勢部の径より小さく、上記支持体に対してほぼ接する状態で巻回されるくびれ部とを備えていることを特徴とする商品陳列用の付勢体。
【請求項２】
上記付勢体の付勢部の端は上記商品に当接するようになっており、当該付勢部の端にも上記くびれ部が形成され、この端くびれ部の中心は、上記付勢部の中心からずれて偏心していることを特徴とする請求項１記載の商品陳列用の付勢体。
【請求項３】
上記付勢部の途中のくびれ部の中心は、当該付勢部の中心からずれておらず、両中心はほぼ一致していることを特徴とする請求項１または２記載の商品陳列用の付勢体。
【請求項４】
商品を並べて陳列させる支持体に巻回され、当該商品を一方向に付勢して商品を隙間なく配列させる商品陳列用の付勢体において、
当該付勢体は、
弾性的に径が収縮して上記支持体に固定されるとともに、当該付勢体を支持体に対して移動させると、当該固定にもかかわらず、上記支持体に沿って移動可能な固定部と、
上記支持体の周囲に沿って巻回されるとともに当該支持体に対して離間して巻回され、上記商品を一方向に付勢する長尺な付勢部と、
この長尺な付勢部の端に形成され、当該付勢部の径より大きく、上記商品に当接する当接部であって、この当接部の中心は、上記付勢部の中心からずれて偏心している当接部とを備えていることを特徴とする商品陳列用の付勢体。
【請求項５】
上記当接部の端にくびれ部が形成され、この端くびれ部の中心は、当該当接部の中心からずれて偏心していることを特徴とする請求項４記載の商品陳列用の付勢体。
【請求項６】
上記固定部、付勢部及びくびれ部または当接部は、すべて１つにつながった螺旋状であることを特徴とする請求項１、２、３、４または５記載の商品陳列用の付勢体。
【発明の詳細な説明】
【技術分野】
【０００１】
本発明は、商品陳列用の付勢体に関し、特に商品を並べて吊り下げて陳列させる支持体に取り付けられ、当該商品を一方向に付勢して商品を隙間なく配列させる商品陳列用の付勢体に関する。
【背景技術】
【０００２】
近年、商品陳列棚には金属棒を配置し、商品の包装容器には商品吊り下げ用の吊り下げ係止部を形成して、この吊り下げ係止部を金属棒に掛けることにより、商品を吊り下げて陳列することが行われてきている。
【０００３】
ところが、このような商品吊り下げ陳列では、配列された商品を手前から取り外して消費者が順次購入していくため、ある程度商品が売れると、商品が陳列棚の奥の方だけにある状態となり、商品が見えにくくなっていた。
【０００４】
特に他の商品は手前の方にある状態にもかかわらず、商品が陳列棚の奥の方だけにある状態となると、当該商品が他の商品の影にかくれて非常にわかりづらくなる。これに対して、店員は陳列棚の奥の方になった商品を随時引き出して/押し出していた。この作業は非常に手間のかかるものであり、余分な人件費の出費の原因ともなっていた。
【０００５】
【特許文献１】特開２００４−１５９７７４号公報
【発明の開示】
【発明が解決しようとする課題】
【０００６】
本発明は、上述した課題を解決するためになされたものであり、本発明の目的は、商品を並べて吊り下げて陳列させた場合、商品が売れていっても、商品が陳列棚の奥の方だけある状態とならず、当該商品が残り少なくなっても、商品が手前に引き出されるまたは押し出されるようにすることである。
【課題を解決するための手段】
【０００７】
上記目的を達成するために、本件第１発明は、商品を並べて吊り下げて陳列させる支持体に巻回され、当該商品を一方向に付勢して商品を隙間なく配列させる商品陳列用の付勢体において、  当該付勢体は、  弾性的に径が収縮して上記支持体に固定されるとともに、当該付勢体を支持体に対して移動させると、当該固定にもかかわらず、上記支持体に沿って移動可能な固定部と、  上記支持体の周囲に沿って巻回されるとともに当該支持体に対して離間して巻回され、上記商品を一方向に付勢する長尺な付勢部と、  この長尺な付勢部の途中に形成され、当該付勢部の径より小さく、上記支持体に対してほぼ接する状態で巻回されるくびれ部とを備えた。
【０００８】
また、上記目的を達成するために、本件第２発明は、商品を並べて吊り下げて陳列させる支持体に巻回され、当該商品を一方向に付勢して商品を隙間なく配列させる商品陳列用の付勢体において、  当該付勢体は、  弾性的に径が収縮して上記支持体に固定されるとともに、当該付勢体を支持体に対して移動させると、当該固定にもかかわらず、上記支持体に沿って移動可能な固定部と、  上記支持体の周囲に沿って巻回されるとともに当該支持体に対して離間して巻回され、上記商品を一方向に付勢する長尺な付勢部と、  この長尺な付勢部の端に形成され、当該付勢部の径より大きく、上記商品に当接する当接部であって、この当接部の中心は、上記付勢部の中心からずれて偏心している当接部とを備えた。
【発明の効果】
【０００９】
これにより、付勢体は固定部で支持体に固定され、付勢部で商品を順次押し出していくことができる。また、くびれ部の径が付勢部の径より小さいので、付勢部が支持体に対してうねったり捻じ曲がったりせず、商品を円滑に付勢して押し出していくことができる。
【００１０】
また、付勢体の固定部が、通常では弾性的に径が収縮して上記支持体に固定されるとともに、当該付勢体を支持体に対して移動させると、当該固定にもかかわらず、上記支持体に沿って移動可能なため、商品を付勢するのに最適な、支持体の任意の位置に付勢体を固定できる。
【００１１】
さらに、長尺な付勢部の端に形成され、当該付勢部の径より大きく、上記商品に当接する当接部の中心は、上記付勢部の中心からずれて偏心しているので、当接部は商品を支持体からずれた位置で付勢していくことができ、商品を付勢するとき、商品の向きに偏りが生じない。
【発明を実施するための最良の形態】
【００１２】
（１）付勢体１（第１実施例)
図１は付勢体１の第１実施例を示す。垂直な商品陳列壁２に複数の金属性の支持棒（支持体）３が固定され突出されている。この支持棒３の長さは、通常十数センチメートル乃至二十数センチメートル、場合によって数センチメートル乃至三十数センチメートルである。この支持棒３には複数または1つの商品４が並べて吊り下げられて陳列される。
【００１３】
この支持棒３に対して付勢体１が巻回されている。この付勢体１は、支持棒３の先端に対して挿通されることによって、支持棒３に巻回された状態で取り付けられる。上記支持棒３の断面は円形で、その太さは数ミリメートル乃至数十ミリメートル、例えば６ミリメートルである。
【００１４】
この付勢体１は、太さ０．１乃至１．０ミリメートルほどの金属製の針金を円形の螺旋状に巻いた、長手方法及び周回方向に弾性を有するコイルバネ（スプリング）状であり、この螺旋の巻回の径は一律ではなく変化している。この付勢体１の先端には固定部１１が形成されている。
【００１５】
この固定部１１の内径は、上記支持棒３の外径よりわずかに例えば０．５ミリメートルほど小さく、固定部１１は弾性的に径が収縮して上記支持棒３に周囲から締め付ける状態で固定される。しかし、付勢体１／固定部１１を引いたり押したりして、付勢体１を支持棒３に対して移動させると、当該固定にもかかわらず、固定部１１は支持棒３に対して／沿って容易に移動／スライドできる。
【００１６】
したがって、商品４を付勢するのに最適な、支持棒３の任意の位置に付勢体１／固定部１１を固定できる。この固定部１１の巻回数は数回、たとえば２〜４回ほどであり、この巻回の螺旋のピッチには隙間がなく密着している。
【００１７】
この固定部１１には第１くびれ部１２が繋がっている。この第１くびれ部１２の内径は、上記支持棒３の外径よりわずかに大きく、例えば０．５乃至１．５ミリメートルほど、具体的には１ミリメートルほど大きい。この第１くびれ部１２は、支持棒３には固定されず、上記支持棒３にほぼ接する状態であり、付勢体１全体を支持棒３から大きくずれないように保持している。この第１くびれ部１２の巻回数は数回乃至十数回、たとえば８〜１０回ほどである。
【００１８】
この第１くびれ部１２には長尺な第１付勢部１３が繋がっている。この第１付勢部１３の内径は、上記支持棒３の外径よりかなり大きく、支持棒３の数倍の径、例えば１０乃至３０ミリメートル、具体的には１９ミリメートルほどであり、支持棒３に対して隙間をもって離間して巻回されている。この第１付勢部１３の巻回数は数回乃至十数回、たとえば８〜１０回ほどである。
【００１９】
この第１付勢部１３には第２くびれ部１４が繋がっている。この第２くびれ部１４の内径は、上記第１くびれ部１２とほぼ同じであり、上記第１付勢部１の径より小さく、上記支持棒３にほぼ接する状態であるとともに支持棒３に対して自由に移動可能であり、付勢体１全体を支持棒３から大きくずれないように保持している。この第２くびれ部１４の巻回数は数回、たとえば３〜５回ほどである。
【００２０】
この第２くびれ部１４には長尺な第２付勢部１５が繋がっている。この第２付勢部１５の内径は、上記第１付勢部１３とほぼ同じであり、支持棒３に対して隙間をもって離間して巻回されている。この第２付勢部１５の巻回数は数回乃至十数回、たとえば８〜１０回ほどである。
【００２１】
この第２付勢部１５には第３くびれ部１６が繋がっている。この第３くびれ部１６の内径は、上記第１くびれ部１２または第２くびれ部１４とほぼ同じであり、上記第１付勢部１３または第２付勢部１５の径より小さく、上記支持棒３にほぼ接する状態であるとともに支持棒３に対して自由に移動可能であり、付勢体１全体を支持棒３から大きくずれないように保持している。この第３くびれ部１６の巻回数は数回、たとえば３〜５回ほどである。
【００２２】
この第３くびれ部１６には長尺な第３付勢部１７が繋がっている。この第３付勢部１７の内径は、上記第１付勢部１３または第２付勢部１５とほぼ同じであり、支持棒３に対して隙間をもって離間して巻回されている。この第３付勢部１７の巻回数は数回乃至十数回、たとえば８〜１０回ほどである。
【００２３】
この第３付勢部１７の端は当接部１８となっており、この当接部１８の径は第３付勢部１７の径と一致しており、上記商品４に当接して、当該商品４を一方向に付勢して押し出すことにより、当該商品４を隙間なく配列させる。
【００２４】
この当接部１８には偏心くびれ部１９が繋がっている。この偏心くびれ部１９の内径は、上記第１くびれ部１２、第２くびれ部１４または第３くびれ部１６とほぼ同じであり、上記第１付勢部１３、第２付勢部１５または第３付勢部１７の径より小さく、上記支持棒３にほぼ接する状態であるとともに支持棒３に対して自由に移動可能であり、付勢体１全体を支持棒３から大きくずれないように保持している。この第３くびれ部１６の巻回数は数回、たとえば２〜３回ほどであり、この巻回の螺旋のピッチには隙間がなく密着している。
【００２５】
この偏心くびれ部１９のこの巻回の螺旋の中心は、上記第１くびれ部１２、第２くびれ部１４、第３くびれ部１６、第１付勢部１３、第２付勢部１５、第３付勢部１７、当接部１８の各中心からずれて偏心している。このため、上記当接部１８及び第３付勢部１７などを支持棒３に対して偏移させることができ、この偏移は通常、支持棒３のやや下となるように上記固定部１１が位置決めされて支持棒３に固定される。
【００２６】
これにより、支持棒３に吊り下げられた各商品４の支持棒３のやや下を付勢して押し出していくことができ、各商品４の重心に近い位置を付勢して押し出していくことができて、円滑に各商品４を移動させていくことができ、途中で付勢された商品４が傾いて詰まってしまうことがなくなる。
【００２７】
なお、図１では、当接部１８は商品４に当接していないが、これは図面をわかりやすくするためであり、実際には当接部１８は商品４に当接する。また、各商品４が支持棒３に対して吊り下げられるのではなく、支持棒３の上に並べて配置される場合や、支持棒３の側に並べて配置される場合には、上記当接部１８及び第３付勢部１７の偏移方向は支持棒３の上または側となる。
【００２８】
この場合、支持棒３の下側には商品４の設置床が形成されることがあり、また偏心くびれ部１９の径が若干小さくなって、上記固定部１１のように支持棒に固定されることも可能である。なお、偏心くびれ部１９は偏心せず、偏心くびれ部１９の中心が、上記第１くびれ部１２、第２くびれ部１４、第３くびれ部１６、第１付勢部１３、第２付勢部１５、第３付勢部１７、当接部１８の各中心と一致していてもよい。
【００２９】
また、上記第１付勢部１３、第２付勢部１５、第３付勢部１７のそれぞれの間の上記第１くびれ部１２、第２くびれ部１４、第３くびれ部１６は、上記支持棒３にほぼ接する状態であるから、第１付勢部１３、第２付勢部１５、第３付勢部１７が、支持棒３に対して、うねったり捻じ曲がったりせず、商品４を円滑に付勢して押し出していくことができる。
【００３０】
第１付勢部１３、第２付勢部１５、第３付勢部１７が、支持棒３に対して、うねったり捻じ曲がったりすると、上記当接部１８の商品４に対する当接位置が支持棒３のやや下からずれてしまい、商品４が傾いたり、円滑に商品４を移動させることができなくなってしまう。
【００３１】
また、第１くびれ部１２、第２くびれ部１４、第３くびれ部１６は、支持棒３に対して自由に移動可能であるから、付勢体１は支持棒３に対して円滑に伸縮することができるし、第１付勢部１３、第２付勢部１５、第３付勢部１７の付勢力をすべて当接部１８に伝えることもできる。
【００３２】
さらに、上記第１くびれ部１２、第２くびれ部１４、第３くびれ部１６の各中心は、上記第１付勢部１３、第２付勢部１５、第３付勢部１７の中心からずれておらず、両中心はほぼ一致している。これにより、第１付勢部１３、第２付勢部１５、第３付勢部１７の付勢力を偏心させないで当接部１８まで伝えることができるし、第１付勢部１３、第２付勢部１５、第３付勢部１７をうねらせたり捻じ曲げさせたりすることがなくなる。
【００３３】
むろん、付勢体1の針金の太さを変えたり、弾性係数／弾発係数を変えたりすれば、上記第１くびれ部１２、第２くびれ部１４、第３くびれ部１６の各中心と、上記第１付勢部１３、第２付勢部１５、第３付勢部１７の各中心とをずらして、両中心の一方を他方に対して偏心／偏移させてもよい。
【００３４】
ここで、支持棒３に対して付勢体１を装着するとき、偏心くびれ部１９が当接部１８に対して上方に偏移し、かつ当接部１８が支持棒３に対して下方に偏移する位置となるように、上記固定部１１を回転させて支持棒３に固定させることになる。
【００３５】
なお、第１くびれ部１２、第２くびれ部１４、第３くびれ部１６、偏心くびれ部１９、第１付勢部１３、第２付勢部１５、第３付勢部１７、当接部１８の巻回数は、１回ずつまたは数回ずつとし、これらくびれ部および付勢部の数を１つの付勢体1において増やしてもよい。これにより、付勢体１を圧縮したとき、くびれ部１２、１４、１６、１９を付勢部１３、１５、１７、当接部１８の中に収納していくことができ、付勢体１が圧縮されたときの寸法をコンパクトにできる。
【００３６】
この場合、各付勢部１３、１５、１７、当接部１８の径を大、中、小など複数段階にして、これを大きさ順につないで配列すれば、付勢体１を圧縮したとき、１つの付勢部の中に他の径の付勢部を順次収納していくことができ、付勢体１が圧縮されたときの寸法をさらにコンパクトにできる。各付勢部１３、１５、１７、当接部１８の形状を両側または片側にテーパ状にして、この巻回の螺旋のピッチが漸次変化していくようにしても同様である。
【００３７】
（２）付勢体１（第２実施例)
図２は付勢体１の第２実施例を示す。この第２実施例の固定部２１は上記第１実施例と固定部１１と同じである。この固定部２１には長尺付勢部２２が繋がっている。この長尺付勢部２２の内径は、上記第１実施例のくびれ部１２、１４、１６、１９とほぼ同様でもあり、上記支持棒３の外径より少々大きく、支持棒３の径より1乃至５ミリメートル、具体的には３ミリメートルほど大きく、支持棒３に対して少々の隙間をもって離間して巻回されている。
【００３８】
この長尺付勢部２２は、上記支持棒３にほぼ接する状態であるとともに支持棒３に対して自由に移動可能であり、付勢体１全体を支持棒３から大きくずれないように保持している。この長尺付勢部２２の巻回数は数回乃至数十回または百数十回、たとえば５０回ほどである。
【００３９】
この長尺付勢部２２には偏心当接部２３が繋がっている。この偏心当接部２３の内径は、上記長尺付勢部２２の内径及び支持棒３の外径よりかなり大きく、支持棒３または支持棒３の数倍の径、例えば１０乃至４０ミリメートル、具体的には２５ミリメートルほどであり、支持棒３に対して大きな隙間をもって離間して巻回されている。この偏心当接部２３の巻回数は数回、たとえば２〜３回ほどである。
【００４０】
この偏心当接部２３の螺旋の中心は、上記長尺付勢部２２の中心からずれて偏心している。このため、上記偏心当接部２３を支持棒３に対して偏移させることができ、この偏移は通常、支持棒３のやや下となるように上記固定部２１が位置決めされて支持棒３に固定される。
【００４１】
上記偏心当接部２３には中心くびれ部２４が繋がっている。この中心くびれ部２４の内径は、上記支持棒３の外径よりわずかに大きく、例えば０．５乃至１．５ミリメートルほど、具体的には１ミリメートルほど大きく、上記長尺付勢部２２の内径より若干小さい。
【００４２】
この中心くびれ部２４は、支持棒３には固定されず、上記支持棒３にほぼ接する状態であるとともに支持棒３に対して自由に移動可能であり、付勢体１全体を支持棒３から大きくずれないように保持している。この中心くびれ部２４の巻回数は数回、たとえば２〜３回ほどであり、この巻回の螺旋のピッチには隙間がなく密着している。
【００４３】
この中心くびれ部２４の螺旋の中心は、上記長尺付勢部２２の螺旋の中心とほぼ一致している。これにより、上記偏心当接部２３は中心くびれ部２４と長尺付勢部２２との間に傾かないように確実に保持され、偏心当接部２３が商品４を付勢して押し出して移動させても、偏心当接部２３の向きが傾いたり形状が変形したりせず、長尺付勢部２２の付勢力を確実に商品４に伝えることができる。
【００４４】
これ以外の構成・作用・効果は上述の第１実施例と同じであるし、上述した以外の長尺付勢部２２の作用・効果も上述の第１実施例の変形例を含む付勢部１１、１３、１５と同じであるし、中心くびれ部２４の上述した以外の作用・効果も上述の第１実施例の変形例を含む偏心くびれ部１９と同じであるし、偏心当接部２３の上述した以外の作用・効果も上述の第１実施例の変形例を含む当接部１８と同じであるし、固定部２１の上述した以外の作用・効果も上述の第１実施例の変形例を含む固定部１１と同じである。ここで、偏心当接部２３は偏心せず、その中心が長尺付勢部２２及び中心くびれ部２４の各中心と一致していてもよい。
【００４５】
なお、図２では、偏心当接部２３は商品４に当接していないが、これは図面をわかりやすくするためであり、実際には偏心当接部２３は商品４に当接する。上記第１実施例を選ぶか、第２実施例を選ぶかは、陳列する商品４の重量・体積・長さ・高さ・幅によって決定される。付勢体１の巻回の螺旋の径が小さくなるほど／針金の太さが太くなるほど／針金が硬くなるほど／付勢体１の全体の長さが短くなるほど、バネの反撥係数／反撥力は大きくなり、これに応じて上記付勢体１の一部または全体の径、太さ、長さ、硬度、長さ・偏心位置などが変更される。
【００４６】
上記固定部１１、２１、付勢部１３、１５、１７、２２、くびれ部１２、１４、１６、１９、２４、当接部１８、２３は、すべて１つにつながった円形の螺旋状である。したがって、針金を螺旋状に成形しながら、螺旋の径、ピッチ、中心を順次変更していくだけで、固定部、付勢部、くびれ部、当接部を製造していくことができる。
【００４７】
（３）他の実施の形態
本発明は、上記実施例に限定されず、種々変更可能である。例えば、偏心くびれ部１９、中心くびれ部２４を省略することも可能である。これでも、付勢部１３、１５、１７、２２で、商品４の支持棒３の下の位置を付勢して押し出していくことができる。
【００４８】
また、本付勢体１の断面形状は円形螺旋のほか、方形螺旋、三角形螺旋、多角形螺旋、楕円螺旋など、どのような螺旋でもよい。この場合、固定部１１、２１、付勢部１３、１５、１７、２２、くびれ部１２、１４、１６、１９、２４、当接部１８、２３の断面形状もこのような形状となる。
【００４９】
さらに、付勢体１、固定部１１、２１、付勢部１３、１５、１７、２２、くびれ部１２、１４、１６、１９、２４、当接部１８、２３の巻回の螺旋のピッチは等間隔ではなく、漸次または周期的に変化してもよいし、針金の太さも漸次または周期的に変化してもよい。これにより、付勢体１の各部分の反撥力が異なり、商品４の陳列量が変化して付勢体１の加圧力／付勢力が変化しても、反撥力を発揮する付勢部分を切換えていくことができる。
【００５０】
またさらに、付勢体１の針金の変わりに板状の螺旋が用いられてもよいし、材質は金属以外に樹脂などでもよい。付勢体１の径、長さ、太さ、寸法、偏心位置は上記のものにかぎられず、種々変更可能である。
【００５１】
さらにまた、付勢部１３、１５、１７、２２、くびれ部１２、１４、１６、１９、２４の長さは任意であり、各付勢部１３、１５、１７、２２より各くびれ部１２、１４、１６、１９、２４の方が長くてもよいし、その逆でもよい。
【００５２】
またさらに、上記支持体３の数は複数となり、付勢体１が取り付けられる支持棒３と、商品４が吊り下げられる支持棒３とが異なっていてもよい。この場合、支持体は複数の支持棒３からなっているといえる。また、支持体の形状は棒状に限られず、板状、筒状、箱状、紐状などであってもよいし、表面にネジ溝が形成されていてもよい。このネジ溝のピッチは上記付勢体1の螺旋ピッチに一致していてもよいし、一致していなくてもよい。
【００５３】
さらにまた、固定部１１、２１は、別体のネジ構造・クリップなどで支持棒３に固定されてもよい。固定部１１、２１、付勢部１３、１５、１７、２２、くびれ部１２、１４、１６、１９、２４、当接部１８、２３は、互いに繋がっておらず、別体であってもよい。
【００５４】
（４）他の発明の効果
［１］商品を並べて陳列させる支持体に巻回され、当該商品を一方向に付勢して商品を隙間なく配列させる商品陳列用の付勢体において、  当該付勢体は、  弾性的に径が収縮して上記支持体に固定されるとともに、当該付勢体を支持体に対して移動させると、当該固定にもかかわらず、上記支持体に沿って移動可能な固定部と、  上記支持体の周囲に沿って巻回されるとともに当該支持体に対して離間して巻回され、上記商品を一方向に付勢する長尺な付勢部と、  この長尺な付勢部の途中に形成され、当該付勢部の径より小さく、上記支持体に対してほぼ接する状態で巻回されるくびれ部とを備えていることを特徴とする商品陳列用の付勢体。
【００５５】
これにより、付勢体は固定部で支持体に固定され、付勢部で商品を順次押し出していくことができる。また、くびれ部の径が付勢部の径より小さいので、付勢部が支持体に対してうねったり捻じ曲がったりせず、商品を円滑に付勢して押し出していくことができる。
【００５６】
[２]上記付勢体の付勢部の端は上記商品に当接するようになっており、当該付勢部の端にも上記くびれ部が形成され、この端くびれ部の中心は、上記付勢部の中心からずれて偏心していることを特徴とする請求項１記載の商品陳列用の付勢体。これにより、付勢部は商品を支持体からずれた位置で付勢していくことができ、商品を付勢するとき、商品の向きに偏りが生じない。
【００５７】
[３]上記付勢部の途中のくびれ部の中心は、当該付勢部の中心からずれておらず、両中心はほぼ一致していることを特徴とする請求項１または２記載の商品陳列用の付勢体。これにより、付勢部の付勢力を偏心させないで商品にまで伝えることができるし、付勢体をたわませたり捻じ曲げさせたりすることがなくなる。
【００５８】
[４]商品を並べて陳列させる支持体に巻回され、当該商品を一方向に付勢して商品を隙間なく配列させる商品陳列用の付勢体において、  当該付勢体は、  弾性的に径が収縮して上記支持体に固定されるとともに、当該付勢体を支持体に対して移動させると、当該固定にもかかわらず、上記支持体に沿って移動可能な固定部と、  上記支持体の周囲に沿って巻回されるとともに当該支持体に対して離間して巻回され、上記商品を一方向に付勢する長尺な付勢部と、  この長尺な付勢部の端に形成され、当該付勢部の径より大きく、上記商品に当接する当接部であって、この当接部の中心は、上記付勢部の中心からずれて偏心している当接部とを備えていることを特徴とする商品陳列用の付勢体。
【００５９】
これにより、長尺な付勢部の端に形成され、当該付勢部の径より大きく、上記商品に当接する当接部の中心は、上記付勢部の中心からずれて偏心しているので、当接部は商品を支持体からずれた位置で付勢していくことができ、商品を付勢するとき、商品の向きに偏りが生じない。
【００６０】
[５]上記当接部の端にくびれ部が形成され、この端くびれ部の中心は、当該当接部の中心からずれて偏心していることを特徴とする請求項４記載の商品陳列用の付勢体。これにより、上記当接部はくびれ部と付勢部との間に傾かないように確実に保持され、当接部が商品を付勢して押し出して移動させても、当接部の向きが傾いたり形状が変形したりせず、付勢部の付勢力を確実に商品に伝えることができる。
【００６１】
[６] 上記固定部、付勢部及びくびれ部または当接部は、すべて１つにつながった螺旋状であることを特徴とする請求項１、２、３、４または５記載の商品陳列用の付勢体。これにより、材料を螺旋状に成形しながら、螺旋の径、ピッチ、中心を順次変更していくだけで、固定部、付勢部、くびれ部、当接部を製造していくことができる。
【産業上の利用可能性】
【００６２】
本件発明は、くびれ部の径が付勢部の径より小さく、付勢部が支持体に対してうねったり捻じ曲がったりせず、商品を円滑に付勢して押し出していく。固定部１１が支持棒３の周囲に巻き付くように固定される。くびれ部１２、１４、１６の径が付勢部１３、１５、１７の径より小さく、付勢部１３、１５、１７が支持体に対してうねったり捻じ曲がろうとしたりするのをくびれ部１２、１４、１６が防止し、付勢部１３、１５、１７に付勢された当接部１８が商品４を円滑に付勢して押し出していく。
【図面の簡単な説明】
【００６３】
【図１】本件発明の第１実施例の商品陳列用の付勢体を示す。
【図２】本件発明の第２実施例の商品陳列用の付勢体を示す。
【符号の説明】
【００６４】
１…付勢体、２…商品陳列壁、
３…支持棒(支持体)、４…商品、
１１…固定部、１２…第１くびれ部、
１３…第１付勢部、１４…第２くびれ部、
１５…第２付勢部、１６…第３くびれ部、
１７…第３付勢部、１８…当接部、
１９…偏心くびれ部、
２１…固定部、２２…長尺付勢部、
２３…偏心当接部、２４…中心くびれ部。
【図１】
2006296932.tif 000003
【図２】
2006296932.tif 000004